(57)【要約】【課題】  安価な表示ＩＣを使用する場合でも簡単な構成で誤表示を防止でき信頼性の高い加熱調理器を提供する。【解決手段】  制御部（マイコン）３９の主制御手段２０と表示部６の表示器６ａを駆動する表示ＩＣ２３がシリアル通信によって接続された加熱調理器において、主制御手段２０のシリアル通信手段２１よりシリアル通信データの同期をとるための同期信号（ＳＣＬＫ）を表示ＩＣ２３のシリアル通信手段２４に送信し、該表示ＩＣ２３のシリアル通信手段２４に到達した同期信号（ＳＣＬＫ）を主制御手段２０のカウンタ（ＣＮＴ）２１の入力部に帰還入力し、送信された同期信号数と該カウンタにて計数された同期信号数が一致した場合のみ、表示ＩＣ２３の表示データ（ＳＩ）の更新を行なう。【選択図】      図４
2006100145.tif 000002
【特許請求の範囲】
【請求項１】
制御部の主制御手段と表示部の表示器を駆動する表示ＩＣがシリアル通信によって接続された加熱調理器において、主制御手段側にのみシリアル通信データの同期判断を行なう手段を設け、表示部の表示ＩＣには表示データの更新を行なう手段を設けたことを特徴とする加熱調理器。
【請求項２】
前記主制御手段にはシリアル通信手段とカウンターを有し、前記表示ＩＣにはシリアル通信手段を有し、シリアル通信データの同期判断を前記カウンターの計数結果により行なうことを特徴とする請求項１記載の加熱調理器。
【請求項３】
制御部の主制御手段と表示部の表示器を駆動する表示ＩＣがシリアル通信によって接続された加熱調理器において、主制御手段のシリアル通信手段よりシリアル通信データの同期をとるための同期信号（ＳＣＬＫ）を表示ＩＣのシリアル通信手段に送信し、該表示ＩＣのシリアル通信手段に到達した同期信号（ＳＣＬＫ）を主制御手段のカウンタ（ＣＮＴ）の入力部に帰還入力し、送信された同期信号数と該カウンタにて計数された同期信号数が一致した場合のみ、表示ＩＣの表示データ（ＳＩ）の更新を行なうことを特徴とする加熱調理器。
【請求項４】
前記制御部はマイクロコンピュータにより構成されていることを特徴とする請求項１乃至請求項４記載の加熱調理器。
【発明の詳細な説明】
【技術分野】
【０００１】
本発明は表示ＩＣとマイクロコンピュータを使用した加熱調理器に関する。
【背景技術】
【０００２】
例えば、液晶表示ＩＣ を使用して各種情報を表示するようにした構成の機器の場合、マイクロコンピュータ（以下、マイコンという）から、シリアル通信機能を使用して表示データを液晶表示ＩＣに送信するのであるが、その際一般的には、データ信号（ＳＯ）と、データ入力の同期をとるための同期信号（ＳＣＬＫ）、そして全データを送信完了した時点で表示データ更新を指示するためのロードデータ信号（ＬＤ）の３本でデータ送信ラインが構成される。即ち、表示データを１ビットづつＳＣＬＫに同期してＳＯに出力し、全表示データを送信し終えたら、ロードデータ信号（ＬＤ）によって、液晶表示ＩＣに表示させている。
【０００３】
また、一般的な電気機器であるが、シリアル通信によるデータが正しく行なわれたかの検出を、２つのマイコンを用意し、２回同じデータを送信し２回の受信データが一致するかどうかを判断する方法や、受信データの積算値／排他的論理和データを求めて積算値／排他的論理和データと一致するかどうかを判断するなどの方法が採られている（例えば、特許文献１を参照）。
【特許文献１】特開２０００−７０５９０号公報
【発明の開示】
【発明が解決しようとする課題】
【０００４】
低コストを要求される家電製品では、安価な液晶表示ＩＣには簡単な通信機能しか実装されておらず、データの整合性を検査する上記のような機能がないため、例えば、外来ノイズの影響で誤った同期信号が表示ＩＣに入力される結果、ビット位置がずれてしまったような誤データを正当な表示データとして表示することがあり、正確な表示がなされる機能をもつ家電製品が所望されていた。そこで本発明は、安価な表示ＩＣを使用する場合でも簡単な構成で誤表示を防止でき信頼性の高い加熱調理器を提供することを目的とする。
【課題を解決するための手段】
【０００５】
上記課題を解決するために、本発明の請求項１に係る加熱調理器は、制御部の主制御手段と表示部の表示器を駆動する表示ＩＣがシリアル通信によって接続された加熱調理器において、主制御手段側にのみシリアル通信データの同期判断を行なう手段を設け、表示部の表示ＩＣには表示データの更新を行なう手段を設けた構成とした。
【０００６】
本発明の請求項２に係る加熱調理器は、制御部の主制御手段と表示部の表示器を駆動する表示ＩＣがシリアル通信によって接続された加熱調理器において、前記主制御手段にはシリアル通信手段とカウンターを有し、主制御手段側でのみシリアル通信データの同期判断を前記カウンターの計数結果により行ない、表示部の表示ＩＣにはシリアル通信手段を有し、表示データの更新を行なう手段を設けた構成とした。
【０００７】
こうして、安価な表示ＩＣを使用する場合でも、制御部の主制御手段側にのみシリアル通信データの同期判断を行なう手段を設ければ良いので、簡単な構成で誤表示を防止でき信頼性の高い加熱調理器を提供することができる。
【０００８】
本発明の請求項３に係る加熱調理器は、制御部の主制御手段と表示部の表示器を駆動する表示ＩＣがシリアル通信によって接続された加熱調理器において、主制御手段のシリアル通信手段よりシリアル通信データの同期をとるための同期信号（ＳＣＬＫ）を表示ＩＣのシリアル通信手段に送信し、該表示ＩＣのシリアル通信手段に到達した同期信号（ＳＣＬＫ）を主制御手段のカウンタ（ＣＮＴ）の入力部に帰還入力し、送信された同期信号数と該カウンタにて計数された同期信号数が一致した場合のみ、表示ＩＣの表示データ（ＳＩ）の更新を行なうように構成した。
【０００９】
こうして、表示を変更するたびに表示の正誤を判断する制御シーケンスを繰り返すことにより、例えば、外来ノイズが伝送ラインに重畳したかを検出可能としたため、家電製品に安価な表示ＩＣを使用する場合でも簡単な構成で誤表示を防止でき信頼性の高い加熱調理器を得ることができ、製品の低コスト化に寄与できる。
【００１０】
本発明の請求項４に係る加熱調理器は、上記請求項１乃至請求項４記載の加熱調理器において、前記制御部はマイクロコンピュータにより構成されている。
【発明の効果】
【００１１】
以上のように、本発明の加熱調理器は、表示を変更するたびに表示の正誤を判断する制御シーケンスを繰り返すことにより、例えば、外来ノイズが伝送ラインに重畳したかを検出可能としたため、家電製品に安価な表示ＩＣを使用する場合でも簡単な構成で誤表示を防止でき信頼性の高い加熱調理器を得ることができ、製品の低コスト化に寄与できる。
【発明を実施するための最良の形態】
【００１２】
本発明の加熱調理器の実施形態を図１〜図６により説明する。図１は本発明の加熱調理器の一例であり、図１（Ａ）は組込み式加熱調理器の外観斜視図、図１（Ｂ）は組込み式加熱調理器を家庭のシンクに組み込んだ際の外観図である。
【００１３】
図１（Ａ）において、１は組込み式加熱調理器の本体、２は本体１の上面に収付けられた天板枠、３は天板枠２に取付けられたセラミック製のトッププレート、４は天板枠２後部に設けられた本体１内への吸気口と排気口とを設けた通気部である。通気部４は、多数のパンチング孔を穿設した通気カバー４ａを着脱自在に収付けている。通気部４からの吸気により内部の制御部や誘導加熱コイルなどを冷却している。尚、本発明において、天板枠２の前方とは、後述するシンク１８に本体１が組み込まれ、使用者が使用するとき、使用者側の天板枠２の一側部であり、また後部とは前方の反対側、即ち、使用者から一番離れた側部である。
【００１４】
５は天板枠２の前方側に設けた天板操作部、６はトッププレート３の前方側中央部に設けた表示部である。７は後方に調理庫を有するロースタ部であり、８はロースタ部８の扉である。９は操作部、１０は操作部９のうち誘導加熱部の出力設定部、１１はタイマー運転を行うためのタイマー設定部、１２は電源スイッチである。
【００１５】
前記表示部６は、トッププレート３のし下方に配置され、表示部６と対向するトッププレート３は透明に形成され、使用者はトッププレート３を介して表示部６を見ることができるよう構成されている。
【００１６】
１３及び１４はトッププレート３上に印刷により描かれた誘導加熱部、１５はラジアンヒーター位置を印刷により描かれたヒータ加熱部である。前記誘導加熱部１３、１４の下部には、トッププレート３上に載置された調理鍋を誘導加熱する誘導加熱コイル（図示なし）が対応して配置され、またヒータ加熱部１５の下部には、トッププレート３上に載置した調理鍋をヒータ加熱するラジエントヒータが対応して配置されている。また、誘導過熱部１３の出力を表示するＬＥＤ等の出力表示部と誘導過熱部１４の出力を表示するＬＥＤ等の出力表示部も配置されている。
【００１７】
かかる本体１は、通常家庭の台所に設置されているシンク１６に設けられた凹所に、図１（Ｂ）に示すように、トッププレート３はシンク１６の天板部１６ａに露出するように、また、ロースタブ３及び操作部９はシンク１６の側部１６ｂから臨むように組み込まれる。尚、このシンク１６の凹所には、ガスコンロなども置き換えて組み込めるように、大きさが統一さている。
【００１８】
また、図２に示す表示部６は、トッププレート３上の前方略中央部に配置されている。そして、天板枠２の近傍に１つの液晶表示素子で形成された第１表示部６ａと、該第１表示部６ａの後方に配置した第２表示部６ｂとを有している。第１表示部６ａには、誘導加熱部１３及び１４での誘導加熱の様子を表示するものである。詳細には、中央に現在の加熱モード、即ち、加熱、湯沸し、保温、揚げ物調理、少量油での揚げ物調理を表示するモード表示部６１と、モード表示部６１の左右に各モードに対応した位置に三角印からなるモード指示部６２、６３とを有している。モード指示部６２は、現在の誘導加熱部１３の動作モードを三角印の点灯（他の三角印は消灯）により表示し、またモード指示部６３は、現在の誘導加熱部１４の動作モードを誘導加熱部１３と同様に表示させている。
【００１９】
また、第１表示部６ａは、モード指示部６２よりさらに左側方上段に誘導加熱部１３の現在の出力設定値、または揚げ物調理モードなら設定温度を表示する設定表示部６４と、該設定表示部６４の下段に誘導加熱部１３のタイマ一設定時の残り時間表示を行うタイマー時間表示部６５と、モード指示部６３よりさらに右側方上段に誘導過熱部１４の現在の出力設定値、または揚げ物調理モードなら設定温度を表示する設定表示部６６と、該設定表示部６６の下段に誘導加熱部１４のタイマー設定時の残り時間表示を行うタイマー時間表示部６７とを有している。
【００２０】
また、第２表示部６ｂは、第１表示部６ａに近傍する側にラジアントヒータ及びロースタ部７の各ヒータの駆動状態と設定出力を表示するヒータ設定表示部６８とロースタ部７の白動調理メニュー表示部６９とが配置されている。自動調理メニュー表示部６９は、現在実行されているメニューを下方からＬＥＤなどの点灯で、指示表示するよう構成されている。
【００２１】
図３は本発明の組込み式加熱調理器の制御ブロック図である。３０は誘導加熱コイル（図示なし）を有し、トッププレート３上に印刷した誘導加熱部１３上に載置した調理鍋を誘導加熱する誘導加熱制御部、３１は同じく図示しない誘導加熱コイルを使用してトッププレート３上に印刷した誘導加熱部１４上に載置した調理鍋を誘導加熱する誘導加熱制御部、３２は誘導加熱部１３及び１４に載置された調理鍋が誘導加熱できない、例えばアルミ製鍋や土鍋などの場合や、フォークやナイフなど誤って載置したために不所望に加熱されたくない小物などの存在を、誘導加熱制御部３０及び３１内を流れる電流によって検出し、加熱が不適切と判断したとき、誘導加熱制御部３０または３１を駆動停止させる負荷検出部である。
【００２２】
３３はヒータ加熱部１５の下方に配置したラジアントヒータ、３４は平面ヒータ及び下ヒータを総称したロースタヒータ、３５は本体１内に配置され、通気部４から吸気して後述する制御部や誘導加熱コイルなどを冷却し、再び通気部４から排気させる冷却ファンである。３６は前述のトッププレート３の下方で各誘導加熱コイル上に配置したＩＨサーミスタ群、３７は調理庫の側面外壁に取り付けられ、調理庫内の温度を検知するロースタサーミスタ、３８は後述する制御部を載置したプリント基板上の温度や、誘導加熱制御部３０、３１に使用されるパワースイッチング素子やダイオードブリッジなどの温度を検知する基板サーミスタ群、マイコンでなる制御部３９は、天板操作部５や操作部９からの指示、ＩＨサーミスタ群３６、ロースタサーミスタ３７、基板サーミスタ３８からの情報を基に、誘導加熱制御部３０、３１やラジアントヒータ３３、ロースタヒータ３４、冷却ファン３５等に駆動指示を出力して駆動制御する制御部、４０は商用電源から制御電源を形成して制御部に供給する制御電源部である。なお、誘導加熱制御部３０及び３１とラジアントヒータ３３とを総称して加熱部とも呼ぶ。
【００２３】
前記電源スイッチ１２は、制御電源部４０と商用電源との間に配置され、また、触媒用ヒータ４１、排気ファン４２、誘導加熱制御部３０、３１、ラジアントヒータ３３、ロースタヒータ３４及び冷却ファン３５は、電源スイッチ１２と制御電源部４０との間の電源ラインから分岐して、各部品に電源が供給されている。したがって、電源スイッチ１２がオフされると、全ての電源がオフされる構成となっている。
【００２４】
前記誘導加熱制御部３０の誘導加熱コイル及び誘導加熱制御部３１の誘導加熱コイルには、その中央部と誘導加熱コイルの磁界の強くなる部分とに、ＩＴサーミスタ群３６を構成するサーミスタが配置され、トッププレート３上に載置された調理鍋の温度をトッププレート３を介して検知して、間接的に調理鍋内の調理物の温度を検知するようにしている。
【００２５】
図４に本発明の加熱調理器の制御部の主制御手段と表示部の表示ＩＣとの接続構成を示す。制御部３９はマイコンにより構成され、制御部３９には制御手段２０が機能手段として組み込まれている。そして、主制御手段２０にはシリアル通信手段２１とカウンタ２２を有し、表示部６の表示器を駆動する表示ＩＣ２３にはシリアル通信手段２４を有している。
【００２６】
主制御手段２０のシリアル通信手段２１からは、シリアル通信データの同期をとるための同期信号（ＳＣＬＫ）と、表示ＩＣの表示データ（ＳＩ）と、表示ＩＣの表示データ（ＳＩ）の更新を指令するローディングデータ信号（ＬＤ）を信号線を介して、表示ＩＣ２３のシリアル通信手段２４の夫々の入力端子に伝達している。また、表示ＩＣ２３のシリアル通信手段２４に到達した同期信号（ＳＣＬＫ）は帰還線により、主制御手段２０のシリアル通信手段２１のカウンタ２２に帰還入力される。
【００２７】
各信号を図５に示す。同期信号（ＳＣＬＫ）は、等間隔のパルスであり、表示のアドレスをれ決定する信号である。表示データ（ＳＩ）は表示器を駆動する表示ＩＣに入力され、表示の内容を示す信号である。ローディングデータ信号（ＬＤ）は正当なデータであれば、更新する表示データ（ＳＩ）を正しい同期信号（ＳＣＬＫ）のアドレスに更新を指令する信号である。
【００２８】
このような構成により、制御部の主制御手段２０のシリアル通信手段２１よりシリアル通信データの同期をとるための同期信号（ＳＣＬＫ）を、表示手段の表示器を駆動する表示ＩＣ２３のシリアル通信手段２４に送信しする。この表示ＩＣ２３のシリアル通信手段２４に到達した同期信号（ＳＣＬＫ）を主制御手段２１のカウンタ（ＣＮＴ）２２の入力部に帰還入力する。
【００２９】
カウンタ（ＣＮＴ）２２のカウンタ機能により、返送されてきた同期信号（ＳＣＬＫ）信号を数え、その数値が送信した同期信号（ＳＣＬＫ）信号の数値と異なる場合は、外来ノイズなどにより同期信号（ＳＣＬＫ）信号に異常な信号が、送信途中で重畳したと判断し、その場合には、主制御手段２０はローディングデータ信号（ＬＤ）を送ることをしない。ＬＤ信号を送らないので表示ＩＣは表示の更新駆動は行なわず、以前の表示を継続表示する。
【００３０】
このように、主制御手段２０のシリアル通信手段２１はローディングデータ信号（ＬＤ）の送信を行なわず、再度、カウンタ（ＣＮＴ）２２を初期化した後、全データを送信することを繰返し、送信された同期信号数と該カウンタ（ＣＮＴ）２２にて計数された同期信号数が一致し、正当なデータと見なされた場合のみ、ローディングデータ信号（ＬＤ）を送信して、表示ＩＣが表示データ（ＳＩ）の更新を行なうように指令する。
【００３１】
図６は本発明の制御部の主制御手段２０に内蔵されたプログラムによるシーケンスフロー図である。まず、送信したいデータの準備後、本プログラムが呼び出され、ステップＳ０で制御をスタートし、ステップＳ１で、カウンタ（ＣＮＴ）２２を初期化する。次にステップＳ２で、シリアル通信手段２１がシリアル通信データの送信を開始する。
【００３２】
ステップＳ３で、シリアル通信データの送信が完了したかどうかを判断し、完了しなかったら（Ｎ）、更に送信を継続する。もし、シリアル通信データの送信が完了したら（Ｙ）、次段のステップ４に進み、カウンタ（ＣＮＴ）２２のカウンタ機能により、返送されてきた同期信号（ＳＣＬＫ）信号を数え、その数値が送信した同期信号（ＳＣＬＫ）信号の数値と一致するかどうかを判定する。
【００３３】
もし一致しなかったら（Ｎ）、外来ノイズなどにより同期信号（ＳＣＬＫ）信号に異常な信号が、送信途中で重畳したと判断し、主制御手段２０はローディングデータ信号（ＬＤ）を送ることをしない。そして、ステップＳ１に戻り、再度、カウンタ（ＣＮＴ）２２を初期化した後、全データを送信することを繰返す。
【００３４】
ステップＳ４での判定で、送信された同期信号数と該カウンタ（ＣＮＴ）２２にて計数された同期信号数が一致したならば（Ｙ）、正当なデータと見なされ、次のステップＳ５に至り、主制御手段２０はローディングデータ信号（ＬＤ）を表示ＩＣ２３に送信し、ステップＳ６で制御は終了する。
【００３５】
このような制御シーケンスを表示を変更するたびに繰り返し、例えば、外来ノイズが伝送ラインに重畳したかを検出可能としたため、誤データの表示を防止可能である。
【図面の簡単な説明】
【００３６】
【図１】本発明の加熱調理器の実施形態図。
【図２】本発明の加熱調理器の表示部の拡大図。
【図３】本発明の組込み式加熱調理器の制御ブロック図。
【図４】加熱調理器の制御部の主制御手段と表示部の表示ＩＣとの接続構成図。
【図５】同期信号（ＳＣＬＫ）、表示データ（ＳＩ）、ローディングデータ信号（ＬＤ）の各信号。
【図６】制御部の主制御手段２０に内蔵されたプログラムによるシーケンスフロー図。
【符号の説明】
【００３７】
１            組込み式加熱調理器本体
３            トッププレート
６            表示部
７            ロースタ部
８            扉
９            操作部
１３，１４    誘導加熱部
１５          ヒータ加熱部
１６          シンク
２０          主制御手段
２１          シリアル通信手段
２２          カウンタ
２３          表示ＩＣ
２４          シリアル通信手段
３０，３１    誘導加熱制御部
３２          負荷検出部
３６          ＩＨサーミスタ群
３９          制御部（マイコン）
４０          制御電源部
６１，６２，  
６３  モード指示部
６４，６６    設定表示部
６５，６７    タイマー時間表示部
【図１】
2006100145.tif 000003
【図２】
2006100145.tif 000004
【図３】
2006100145.tif 000005
【図４】
2006100145.tif 000006
【図５】
2006100145.tif 000007
【図６】
2006100145.tif 000008